(57)【要約】      （修正有）【課題】開封時にＩＣタグが確実に破壊される包装容器を提供する。【解決手段】インナーキャップ１０は、頂板１１と、該頂板周縁から垂下し且つ内面に容器の口部外面と螺子係合する螺条を備えた筒状壁１２とから成り、前記頂板上面には、アンテナ回路を有するＩＣタグが取り付けられており、オーバーキャップは、頂壁パネルと、該頂壁パネル周縁から垂下したスカートから成り、前記頂壁パネル下面には、前記ＩＣタグのアンテナ回路を破断するためのカッターとなる先端が鋭利な突起が形成されており、前記ＩＣタグは、少なくともＩＣチップ及び隣合う複数列のアンテナ線を備えた樹脂フィルムから成り、前記オーバーキャップの先端が鋭利な突起は、少なくとも前記隣合うアンテナ線の配列方向と直交する方向の両端部に切断刃を有すると共に、該両端部の切断刃間の最大幅が前記隣合うアンテナ線の間隔以上であることを特徴とする。【選択図】図３
2014189306.tif 000002
【特許請求の範囲】
【請求項１】
螺子係合により容器の口部に設けられるインナーキャップ、該インナーキャップに被せて設けられるオーバーキャップ、及びＩＣタグからなる複合容器蓋において、
前記インナーキャップは、頂板と、該頂板周縁から垂下し且つ内面に容器の口部外面と螺子係合する螺条を備えた筒状壁とから成り、前記頂板上面には、アンテナ回路を有するＩＣタグが取り付けられており、
前記オーバーキャップは、頂壁パネルと、該頂壁パネル周縁から垂下したスカートから成り、前記頂壁パネル下面には、前記ＩＣタグのアンテナ回路を破断するためのカッターとなる先端が鋭利な突起が形成されており、
前記ＩＣタグは、少なくともＩＣチップ及び隣合う複数列のアンテナ線を備えた樹脂フィルムから成り、
前記オーバーキャップの先端が鋭利な突起は、少なくとも前記隣合うアンテナ線の配列方向と直交する方向の両端部に切断刃を有すると共に、該両端部の切断刃間の最大幅Ｗが前記隣合うアンテナ線の間隔以上であることを特徴とする複合容器蓋。
【請求項２】
前記ＩＣタグのアンテナ線が、同心円状に配列している請求項１記載の複合容器蓋。
【請求項３】
前記オーバーキャップの頂壁パネル下面に、先端が鋭利な突起が等間隔に複数個形成されている請求項１又は２記載の複合容器蓋。
【請求項４】
前記インナーキャップの上面の周縁部には、複数個の突起部が形成されていると共に、前記オーバーキャップの頂壁パネル下面の周縁部には、前記複数個の突起部と係合可能な凸部が複数個形成されており、
前記オーバーキャップの頂壁パネル下面には、オーバーキャップの閉栓方向且つ下方に垂下する少なくとも１個のスプリングタブが形成されていると共に、前記インナーキャップの頂板上面には、オーバーキャップを閉栓方向に回転させたときに、前記スプリングタブの先端と係合可能な係合部が形成されており、
前記オーバーキャップのスカート下端には、開栓に際してスカートから切り離し可能なストッパーバンドが形成されており、
前記オーバーキャップのスカートの内面には、係止突部が形成されていると共に、前記インナーキャップの筒状壁外面には、上下２段の周方向に延びる突条が形成されており、前記ストッパーバンドの切り離し前は、前記係止突部の係止面が上段突条の下面で係止することによりストッパーバンドの上昇が抑制されており、
前記ストッパーバンドが切り離され、前記オーバーキャップを下方に降下させることにより、前記突起がＩＣタグを破壊すると共に、前記インナーキャップの突起部とオーバーキャップの凸部が互いに係合して、オーバーキャップによるインナーキャップの開栓方向への回転が可能になると同時に、前記係止突部の係止面が下段突条の下面と係合することによりオーバーキャップの上昇が規制され、オーバーキャップ及びインナーキャップが一体に容器口部から取外すことが可能な請求項１〜３の何れかに記載の複合容器蓋。
【発明の詳細な説明】
【技術分野】
【０００１】
本発明は、ＩＣタグを備えて成る複合容器蓋に関するものであり、より詳細には、隣合う複数列のアンテナ線を有するＩＣタグが配置された場合でも、アンテナ線を確実に切断でき、開封明示機能及び品質保証機能を確実に発揮可能な複合容器蓋に関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナと共に樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
例えば、特許文献１には、頂板にＩＣタグが埋め込まれたキャップが開示されている。
【０００４】
このようなＩＣタグを、容器の開封履歴の表示のために使用することも提案されており、例えば、特許文献２には、容器口部に設けられるキャップにＩＣタグが設けられ、キャップを開封したとき、ＩＣタグ中のＩＣチップとアンテナとを結ぶリード線が断線することにより、開封を検出する方法が提案されている。
また、特許文献３には、容器口部に装着されるキャップ本体に連結された上蓋を開封した時、キャップ本体に設けられているアンテナが破断され、これにより、開封の事実を認識できることが開示されている。
【０００５】
上記特許文献２及び３に記載されたキャップにおいては、キャップ（上蓋）を開封すればＩＣタグが破壊され、容器の開封の事実を認識することが可能であるが、ＩＣタグはキャップを開封しない限り破壊されないことから、キャップを開封することなくキャップ全体を容器口部から取り除くことができれば、ＩＣタグを破壊することなく、内容物を入れ替えて、再キャップすることが可能になる場合もあり、偽造販売や悪質ないたずら等に対処するには未だ充分満足するものではなかった。
このような問題を解決するために、本出願人は、開封しない限りキャップを容器口部から取外すことができず、開封時にＩＣタグのアンテナ回路が確実に破断され通信不可能になるか或いは破断されたことが通信情報として読み取れることで、優れた開封明示機能及び品質保証機能を有する複合容器蓋及び包装容器を提案した（特願２０１２−１４２３７０号）。
【先行技術文献】
【特許文献】
【０００６】
【特許文献１】特開２００５−３２１９３５号公報
【特許文献２】特許４０４７８２１号公報
【特許文献３】特開２０１１−２１３３７８号公報
【発明の概要】
【発明が解決しようとする課題】
【０００７】
上記特許出願に記載された発明においては、開封しない限りキャップを容器口部から取外すことができず、開封時にＩＣタグのアンテナ回路が確実に破断され通信不可能になるか或いは破断されたことが通信情報として読み取れることから、確実に開封明示機能及び品質保証機能を発揮することができる。
しかしながら、ＩＣタグにおけるアンテナ線の配置は用いるＩＣタグによって異なり、ＩＣタグの仕様によっては、従来の複合容器蓋ではＩＣタグを確実に破壊することができない場合が生じた。
従って本発明の目的は、隣合う複数列のアンテナ線を有するタイプのＩＣタグが設置された複合容器蓋においても、アンテナ線を確実に切断することができ、開封明示機能及び品質保証機能を確実に発揮し得る複合容器蓋を提供することである。
【課題を解決するための手段】
【０００８】
本発明によれば、螺子係合により容器の口部に設けられるインナーキャップ、該インナーキャップに被せて設けられるオーバーキャップ、及びＩＣタグからなる複合容器蓋において、前記インナーキャップは、頂板と、該頂板周縁から垂下し且つ内面に容器の口部外面と螺子係合する螺条を備えた筒状壁とから成り、前記頂板上面には、アンテナ回路を有するＩＣタグが取り付けられており、前記オーバーキャップは、頂壁パネルと、該頂壁パネル周縁から垂下したスカートから成り、前記頂壁パネル下面には、前記ＩＣタグのアンテナ回路を破断するためのカッターとなる先端が鋭利な突起が形成されており、前記ＩＣタグは、少なくともＩＣチップ及び隣合う複数列のアンテナ線を備えた樹脂フィルムから成り、前記オーバーキャップの先端が鋭利な突起は、少なくとも前記隣合うアンテナ線の進行方向と直交する方向の両端部に切断刃を有すると共に、該両端部の切断刃間の最大幅が前記隣合うアンテナ線の間隔以上であることを特徴とする複合容器蓋が提供される。
【０００９】
本発明の複合容器蓋においては、
１．ＩＣタグのアンテナ線が、同心円状に配列していること、
２．オーバーキャップの頂壁パネル下面に、先端が鋭利な突起が等間隔に複数個形成されていること、
３．インナーキャップの上面の周縁部には、複数個の突起部が形成されていると共に、前記オーバーキャップの頂壁パネル下面の周縁部には、前記複数個の突起部と係合可能な凸部が複数個形成されており、前記オーバーキャップの頂壁パネル下面には、オーバーキャップの閉栓方向且つ下方に垂下する少なくとも１個のスプリングタブが形成されていると共に、前記インナーキャップの頂板上面には、オーバーキャップを閉栓方向に回転させたときに、前記スプリングタブの先端と係合可能な係合部が形成されており、前記オーバーキャップのスカート下端には、開栓に際してスカートから切り離し可能なストッパーバンドが形成されており、前記オーバーキャップのスカートの内面には、係止突部が形成されていると共に、前記インナーキャップの筒状壁外面には、上下２段の周方向に延びる突条が形成されており、前記ストッパーバンドの切り離し前は、前記係止突部の係止面が上段突条の下面で係止することによりストッパーバンドの上昇が抑制されており、前記ストッパーバンドが切り離され、前記オーバーキャップを下方に降下させることにより、前記突起がＩＣタグを破壊すると共に、前記インナーキャップの突起部とオーバーキャップの凸部が互いに係合して、オーバーキャップによるインナーキャップの開栓方向への回転が可能になると同時に、前記係止突部の係止面が下段突条の下面と係合することによりオーバーキャップの上昇が規制され、オーバーキャップ及びインナーキャップが一体に容器口部から取外すことが可能であること、
が好適である。
【発明の効果】
【００１０】
本発明の複合容器蓋においては、隣合う複数列のアンテナ線を有するＩＣタグを用いた場合でも、ＩＣタグを破壊するための先端が鋭利な突起が、隣合うアンテナ線の進行方向と直交する方向（複数の隣合うアンテナ線の配列方向）の両端部に切断刃を有すると共に、この両端部の切断刃間の最大幅が前記隣合うアンテナ線の間隔以上であることから、この突起の鋭利な先端が隣合うアンテナ線の間に当接した場合でも、確実に両側に位置するアンテナ線を切断することができる。
また本発明の複合容器蓋においては、ＩＣタグの一部の回路を破壊することなく、複合容器蓋を容器口部から取外すことができないため、確実に開封履歴を明示することができ、内容物の詰め替え等の悪質ないたずらや偽造販売を有効に防止でき、優れた内容物の品質保証機能を有している。
更にＩＣタグの破損のおそれなく、複合容器蓋を容器口部に装着することができ、キャッピング性にも優れている。
更にまたオーバーキャップの回転が確実にインナーキャップに伝達されるため、複合容器蓋全体が一体となってスムーズに回転するため、リシール性にも優れている。
またインナーキャップの筒状壁に外側筒状壁を更に設け、オーバーキャップでインナーキャップ全体を覆うようにすることによって、インナーキャップに外側から触れることが困難であることから、インナーキャップに何らかの操作を加えて、複合容器蓋全体を容器口部からすっぽ抜けさせることを更に有効に防止できる。
更にまた、容器口部に既存のキャップが装着された容器口部の形状に対応した容器係止部材が容器口部に固定することによって、内容物が充填され且つ口部にキャップが装着されている既存の包装容器にも効果的に適用することができる。
【図面の簡単な説明】
【００１１】
【図１】本発明の複合容器蓋に使用されるＩＣタグの一例の平面図（Ａ）、斜視図（Ｂ）。
【図２】本発明の複合容器蓋のオーバーキャップに形成される先端が鋭利な突起の一例であり、（Ａ）は、アンテナ線の進行方向（図１におけるアンテナ線の接線方向）と直交する方向から見た側面図であり、（Ｂ）はアンテナ線の進行方向（図１におけるアンテナ線の接線方向）から見た側面図であり、（Ｃ）は、カッターの先端から見た底面図。
【図３】本発明の複合容器蓋のインナーキャップの一例の平面図（Ａ）、断面図（Ｂ）、斜視図（Ｃ）。
【図４】本発明の複合容器蓋のオーバーキャップの一例の平面図（Ａ）及び側面図（Ｂ）。
【図５】図４に示すオーバーキャップの側断面図（Ａ）及び底面図（Ｂ）。
【図６】本発明の複合容器蓋の一例の開封前の状態を示す断面図。
【発明を実施するための形態】
【００１２】
本発明の複合容器蓋は、インナーキャップの頂板上面に設置されるＩＣタグとして、少なくともＩＣチップ及び隣合う複数列のアンテナ線を備えた樹脂フィルムから成るものを使用すること、及びオーバーキャップの頂壁パネル下面に設置される、ＩＣタグを破壊するため先端が鋭利な突起（以下、単に「カッター」ということがある）が、少なくともＩＣタグの隣合うアンテナ線の進行方向と直交する方向（複数の隣合うアンテナ線の配列方向）の両端部に切断刃を有すると共に、該両端部の切断刃間の最大幅が前記隣合うアンテナ線の間隔以上であることが重要な特徴である。
図１に示した本発明に用いるＩＣタグの一例においては、全体として１で示すＩＣタグは、樹脂フィルム２の表面にＩＣチップ３及びアンテナ線４，４・・が同心円状に間隔Ｄで形成されており、アンテナ線４，４・・は、リード線５により、ＩＣチップ３に電気的に接続されている。
【００１３】
本発明においては、このようなＩＣタグの形状に合わせて、カッターの形状及び大きさを上記のように規定することにより、ＩＣタグの隣合うアンテナ線の間にカッターの先端が位置し、カッターの下降に伴い、カッターが隣合うアンテナ線の間隔を押し広げ、隣合うアンテナ線の間隔がカッターの幅以上になってしまい、結局アンテナ線が切断されないということを防止することが可能になる。
図２に示した本発明に用いるカッターの一例においては、全体として６で示すカッターは、オーバーキャップの頂壁パネル２１から下方に延び、水平方向断面が略菱形であり、側面が軸方向と平行な平面６ａ１〜６ａ４から成る上部６ａ及び側面が軸方向に対して傾斜する斜面６ｂ１〜６ｂ４から成る略角錐部分６ｂから成っている。カッターの上部６ａの平面６ａ１〜６ａ４の隣合う平面の境界線のうち、図２（Ａ）に示す容器蓋の開栓に伴うカッターの進行方向Ｒと直交する方向の両方の境界線に、切断刃７ａ及び７ｂが形成されている。またカッターの略角錐部分６ｂの斜面６ｂ１〜６ｂ４のそれぞれの境界線には、切断刃８ａ，８ｂ，８ｃ，８ｄが形成され、これらの切断刃８がカッター下端で合流して鋭利な先端６ｃを形成し、ＩＣタグへの突き刺しが容易になる。
【００１４】
本発明においては、図２（Ａ）に示すカッターの進行方向Ｒと直行する方向におけるカッター６における切断刃７ａ，７ｂの間の距離Ｗ（図２（Ｃ）参照）が、前述した図１のアンテナ線の間隔Ｄよりも大きいことが重要であり、これにより、カッターがＩＣタグの隣合うアンテナ線の間に突き刺さったとしても、オーバーキャップの旋回に伴って、カッターの上部６ａの部分まで下降すると、カッターの上部６ａのカッターの進行方向Ｒと直交する方向に形成された両方の切断刃７ａ及び７ｂが両側のアンテナ線を切断することが可能になる。
【００１５】
次に本発明の複合容器蓋の好適な大要を添付図面に基づいて説明する。
インナーキャップ１０は、図３から明らかなように、頂板１１と、頂板周縁から降下している筒状壁１２とを有しており、筒状壁１２の内面には、螺条１３が設けられている。即ち、この螺条１３と容器口部の外面の螺条との螺子係合により、インナーキャップ１０は、容器口部に固定することができる。
インナーキャップ１０の頂板１１の上面には、その中心部分に、後述するオーバーキャップの突起を受け入れ可能な環状凹部１４ａが形成されたＩＣタグ取り付け領域１４が形成されており、図示していないが、ＩＣタグ取り付け領域１４上面には環状凹部１４ａを覆うようにＩＣタグを取り付けることができる。ＩＣタグは、頂板１１上に接着剤或いはヒートシール等によって載置されていてもよいが、頂板１１に嵌め込まれていてもよい。
【００１６】
また、頂板１１の上面の周縁部分には、前述したＩＣタグ(図示せず)が取り付けられた取り付け領域１４を取り囲むように、筒状壁１２が上方に延びており、この筒状壁１２の上端には、容器蓋の側方から見た形状が上端１５ａが頂点の三角形状で、傾斜面１５ｂ及び垂直面１５ｃを有する突起部１５，１５・・・が、筒状壁１２の上端の全周に等間隔に１２個形成されている。
更にＩＣタグ取り付け領域１４よりも外側であって、筒状壁１２より内側の位置には、後述するオーバーキャップのスプリングタブの先端を係合可能な係合部１６，１６・・・が形成されている。
【００１７】
インナーキャップ１０の筒状壁１２の外面には、後述する、オーバーキャップの係止突部と係合する上下２段の周方向に延びる突条１８ａ，１８ｂが形成されている。この上段突条１８ａ及び下段突条１８ｂの下面は、係止突部の係止面と係合可能であり、閉栓状態では、係止突部が上段突条１８ａと係止可能であり、オーバーキャップを押圧して下降させると、係止突部は下段突条１８ｂを乗り越え、下段突条１８ｂの下面と係止可能になる。このようにオーバーキャップがインナーキャップから取り外せない状態となっている。この際、図に示す具体例では下段突条１８ｂの上面には、下方に行くに従ってインナーキャップの外径を増加させる傾斜面が形成されており、係止突部が下段突条１８ｂを容易に乗り越えるようになっている。
【００１８】
図４及び図５に示されるように、上述したインナーキャップ１０に被せて固定されるオーバーキャップ２０は、頂壁パネル２１と、頂壁パネル２１の周縁から降下したスカート２２とを有している。
またスカート２２の下端には、弱化部２３を介してストッパーバンド２４がスカート２２と一体に成形されており、このストッパーバンド２４の内面には、複数個の係止部２５，２５・・・が均等に形成されている。図６に示されるように、このようにストッパーバンド２４の内面に後述する容器係止部材５０に形成された位置決め用リブ５４の上面と係止する係止部２５，２５・・・を形成することにより、オーバーキャップ２０がインナーキャップ１０を完全に覆い、インナーキャップは外部から触ることができないことから、インナーキャップ１０に何らかの操作を加え、複合容器蓋全体を容器口部から取外せる可能性がなく、内容物の入れ替え後に再び複合容器蓋を再シールして販売するような不正使用を確実に防止することができる。尚、ストッパーバンド２４の下端が、筒状壁１２の下端より下方に位置している方が、不正使用の防止には有効である。
尚、ストッパーバンド２４には、図４（Ｂ）及び図５（Ｂ）に示されるように、弱化部２３を破断するための摘み部２４ａ、及び摘み部２４ａの付け根近傍には、弱化部２３に連結する弱化部２４ｂが形成されている。
【００１９】
オーバーキャップ２０の頂壁パネル２１の内面中央には、ＩＣタグを破壊するための先端が鋭利な突起から成るカッター２６，２６・・・が４つ均等に形成されている。またこのカッター２６を取り囲むように、頂壁パネル２１の下面から閉栓方向且つ下方に垂下するスプリングタブ２７，２７・・・が４つ形成されている。このスプリングタブ２７は、オーバーキャップ及びインナーキャップの間に軸方向の反発力を付与してオーバーキャップ２０とインナーキャップ１０の間にがたつきが生じることを防止すると共に、オーバーキャップ２０を閉栓方向に回転させると、スプリングタブ２７の先端がインナーキャップ１０の係合部１６，１６・・・と係合することから、インナーキャップ１０及びオーバーキャップ２０を一体に容器口部にキャッピングすることが可能になる。
【００２０】
またオーバーキャップ２０の頂壁パネル２１の下面周縁部には、前述した通り、インナーキャップ１０の筒状壁１２の上端に形成された突起部１５，１５・・・と係合可能な凸部２８，２８・・・が半周にわたって６個形成されている。図５（Ｂ）から明らかなように、この凸部２８，２８・・・は容器蓋の側方から見た形状が下端２８ａを頂点とする三角形状であり、複合容器蓋の開栓方向側に形成される傾斜面２８ｂ及び複合容器蓋の閉栓方向側に形成される垂直面２８ｃを有している。また図に示す具体例においては、傾斜面２８ｃの傾斜角は、インナーキャップ１０の突起部１５，１５・・・の傾斜面１５ｂの傾斜角と同一に形成されていると共に、突起部１５及び凸部２８の先端は共に鋭角をなしていることから、オーバーキャップ２０を降下させ、突起部１５及び凸部２８が同じ位置にあった場合にも、凸部２８が突起部１５の傾斜面をスムーズに移動可能であり、オーバーキャップの下降を妨げることがない。
また突起部１５及び凸部２８がいずれも垂直面１５ｃ，２８ｂを有していることから、オーバーキャップ２０を回転させると、突起部１５及び凸部２８は確実に係合することから、インナーキャップ１０をオーバーキャップ２０と共に確実回転させることが可能となる。
尚、オーバーキャップ２０のスカート２２の外面には、オーバーキャップ２０の回転を容易にするためのローレット２９が形成されている。
【００２１】
オーバーキャップ２０のスカート２２の内面には、前述したインナーキャップ１０の上下２段の周方向突条１８ａ，１８ｂと係合可能な、周状の係止突部３０が形成されている。後述する図６に示すようにオーバーキャップに形成される先端が鋭利な突起から成るカッター２６，２６・・・が、インナーキャップ１０の頂板１１に設けられたＩＣタグ１に当接することがないように、オーバーキャップ２０の頂壁パネル２１の下面とインナーキャップの頂板とが間隔を有している状態（開封前）においては、オーバーキャップがスプリングタブ２７によって上方に付勢され、係止突部３０がインナーキャップ１０の上段突条１８ａと係合し、そして、突起２６がＩＣタグ１のアンテナ回路を破断しているオーバーキャップの降下位置の状態（開封後）においては、係止突部３０がインナーキャップ１０の下段突条１８ｂと係合する。
またこの係止突部３０は、上面に係止面及び下面に下方に行くに従ってオーバーキャップの内径が増加するテーパ面を有することにより、オーバーキャップ２０の上方への移動を規制すると共に、オーバーキャップの降下を容易にすることが可能となる。
【００２２】
本発明の複合容器蓋においては、上述したインナーキャップ１０にオーバーキャップ２０を被せた状態で容器口部にキャッピングするが、前述した通り、オーバーキャップ２０及びインナーキャップ１０は、スプリングタブ２７と係合部１６が閉栓方向に係合することから、両者を一体に容器口部にキャッピングすることが可能である。
また閉栓状態では、インナーキャップの頂板上面とオーバーキャップの頂壁パネルの下面との間に、突起２６がＩＣタグに当接することがない間隔が保持されるように、ストッパーバンド２４の下端と容器係止部材５０に形成された位置決め用リブ５４の係止により、オーバーキャップ２０のインナーキャップ１０に対する下限位置が制御され、スプリングタブ２７による弾性力と、オーバーキャップ２０の係止突部３０とインナーキャップ１０の上段突条１８ａの係合によって、オーバーキャップ２０とインナーキャップ１０のがたつきを防止すると共にオーバーキャップ２０の上方への移動を規制する。
【００２３】
図６は、上述したインナーキャップ１０及びオーバーキャップ２０を組合わせて成る複合容器蓋を、既存のキャップが巻き締められた容器口部４０に対応する外面を有する容器係止部材５０，５０を適用し、この容器係止部材５０，５０に対して適用したものである。
この容器係止部材５０，５０は、円形の天面５１と天面５１の周縁部から垂下する側壁５２とからなり、側壁５２の外面にはインナーキャップ１０の筒状壁１０が螺子係合するように螺条５３が形成され、容器係止部材５０は天面５１の中心を通り軸方向に延びる平面により切り離された２部材から形成されている。
また容器係止部材５０，５０の下方外面には、オーバーキャップ２０のストッパーバンド２４が切り離される前は、ストッパーバンド２４と係止する位置決め用リブ５４が形成されている。
既存のキャップが装着されている容器口部４０に、これを取り囲むように、既存のキャップが装着された容器口部４０に対応する外面を有する容器係止部材５０，５０を嵌め込む。この時、容器口部に巻き締められたキャップの裾部に係止するように側壁５２の内面下方には内方に突出する係合突部５５が形成されている。この状態で、前述したインナーキャップ１０とオーバーキャップ２０からなる複合容器蓋を装着する（図６の状態）。
【００２４】
図６に示される複合容器蓋が装着された包装容器を開栓するには、まずオーバーキャップ２０のストッパーバンド２４をオーバーキャップ２０から取外すことにより、オーバーキャップ２０を上方から押圧することが可能になる。次いでオーバーキャップ２０を押圧し、下降させると、突起２６によってＩＣタグ１のアンテナ回路が破壊される。図に示した複合容器蓋においては、オーバーキャップの頂壁パネル下面の周縁の一部の円弧上にのみ凸部２８，２８・・・が形成されているため、凸部２８が形成されていない箇所では、頂壁パネル２１の下面が突起部１５，１５・・・に直接接触し、オーバーキャップは斜めになり、係止突部３０が下段突条１８ｂをスムーズに乗り越えることが可能になる。
またオーバーキャップ２０を上方から押圧すると、前述したとおり、突起部１５及び凸部２８は、いずれもその先端が鋭角をなしていると共に傾斜面を有していることから、突起部１５及び凸部２８が同じ位置になり、ぶつかった場合にも、凸部２８が突起部１５の傾斜面をスムーズに移動して、オーバーキャップ２０はスムーズに下降するため、オーバーキャップ２０の係止突部３０の全体が下段突条１８ｂをスムーズに乗り越える。
【００２５】
次いで、オーバーキャップ２０を開栓方向に旋回することにより、インナーキャップ１０の突起部１５及びオーバーキャップ２０の凸部２８が係合し、オーバーキャップ２０とインナーキャップ１０は互いに周方向に規制されることになり、インナーキャップ１０はオーバーキャップ２０の回転に従属するようになる。オーバーキャップ２０を開栓方向に回すとインナーキャップ１０はオーバーキャップ２０と一体となって回転して、容器係止部材５０，５０から取外すことができ、容器係止部材５０，５０を既存のキャップが装着された容器口部４０から取外すことにより、既存のキャップを容器口部から取外すことが可能になる。
【００２６】
本発明の複合容器蓋においては、用いるＩＣタグは、少なくともＩＣチップ及び隣合う複数列のアンテナ線を備えた樹脂フィルムからなること、及びＩＣタグのアンテナ回路を破断するためのカッターが、少なくともＩＣタグの隣合うアンテナ線の配列方向と直交する方向の両端部に切断刃を有すると共に、該両端部の切断刃間の最大幅が前記隣合うアンテナ線の間隔以上であること、が確保されている限り種々の変更が可能である。
【００２７】
例えば、図に示した具体例においては、容器口部に既存のキャップを装着し、更に容器係止部材５０の上から本発明の複合容器蓋を適用していたが、容器口部に直接本発明の複合容器蓋が装着できることは言うまでもなく、この場合には例えばオーバーキャップのストッパーバンドを軸方向で係止する位置決め用リブをインナーキャップの外面下方に形成することも出来る。
また図に示した具体例においては、オーバーキャップの凸部を頂壁パネル下面周縁の一部の円弧に設けていたが、逆にインナーキャップの突起部を筒状壁上端の一部の円弧に設けてもよいし、或いは凸部及び突起部を全周に設けても勿論よい。
更に、図に示したＩＣタグのアンテナ線は同心円状に４つ配置されていたが、隣合うアンテナ線が一定の間隔Ｄを有して配列されている限りこれに限定されず、アンテナ線が２本平行に並んだ矩形状のもの等、種々の形態を採用することができる。尚、この場合オーバーキャップの旋回に伴うカッターの移動位置上に、アンテナ線或いは隣合うアンテナ線の間が配置されるようにすることはいうまでもない。
【００２８】
カッターの形状は、図に示した具体例では水平断面が略菱形であったが、矩形のものに限定されず、隣合うアンテナ線に接する両端部分に切断刃が形成されている限り、水平断面が円形であってもよく、またカッターの上部は必ずしも柱状（角柱、円柱）でなくてもよく、上部から先端まで錐状（角錐、円錐）であってもよい。またカッターの個数は図に示す具体例では４個形成されていたが、これに限定されず、ＩＣタグのアンテナ線の配置によって、適宜決定することができる。
更に、図に示した具体例においては、オーバーキャップがインナーキャップを完全に覆っており、外部からインナーキャップを視認できなかったが、これに限定されるものではなく、例えば、インナーキャップの筒状壁の下端に弱化部を介してタンパーエビデントバントを形成し、このタンパーエビデントバンドを容器口部と係合させることによって、インナーキャップの開封履歴を示すことが可能になり、品質保証機能は確保される。
【００２９】
本発明の複合容器蓋に用いる、インナーキャップやオーバーキャップは、熱可塑性樹脂の圧縮成形、射出成形等により製造されるものであり、このような熱可塑性樹脂としては、ポリエチレン、ポリプロピレン、エチレン−プロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂或いはポリカーボネート等が使用される。
【００３０】
本発明で用いるＩＣタグは、少なくともＩＣチップ及び情報送受信用アンテナを備えて成り、ＩＣタグ中のＩＣチップとアンテナが断線することにより、開封を検出することができるものでもあってもよいが、好適には、開封検出用アンテナ回路を更に備えているものを用いることが好適である。
これにより、インナーキャップが一旦容器口部から取り外されて容器が開封されると、インナーキャップに設けられているＩＣタグ中の開封検出用アンテナ回路が破断するが、ＩＣチップやアンテナ線及びリード線は破壊されていないため、外部読み取り装置によってＩＣチップに入力されている情報を読み取ることができ、この情報の中には、開封検出用アンテナ回路が破断されているという情報も含まれる。
従って、インナーキャップにオーバーキャップが被せられたまま、容器口部に装着してリシールされていた場合にも、一般の需要者は、例えば携帯電話などを用いてＩＣチップの情報を読み取ることにより、開封されたことの事実を正確に読み取り、認識することができる。或いは、アンテナ線やリード線或いは開封検出用アンテナ回路等が破断されて、一般需要者がＩＣタグの情報を読み取ることができない場合に、開封されたことの事実を正確に認識することができる。このことから、本発明の複合容器蓋は、いたずら防止機能に優れ、また内容物入れ替えなどの不正使用も、開封事実を認識することにより有効に防止することができる。
【００３１】
ＩＣタグを構成する樹脂フィルムは、一般に熱溶着可能な熱可塑性樹脂から形成されている。このような熱可塑性樹脂としては特に制限されないが、一般には、このＩＣタグが取り付けられるオーバーキャップやインナーキャップを構成する樹脂基材と同様の樹脂が使用される。例えば、ポリオレフィン製のキャップにＩＣタグを設ける場合には、ポリオレフィンによりフィルムを形成するのがよい。また、ＩＣチップやアンテナ線がポリエチレンテレフタレート樹脂フィルムに設けられた状態で市販されているＩＣタグもあるが、このような場合には、適宜、酸変性オレフィン系樹脂などの接着剤を用いて、ポリエチレンテレフタレート樹脂フィルムの裏面にポリエチレンやポリプロピレン等のポリオレフィン樹脂層を積層させておくことが、キャップにＩＣタグを取り付ける上で好ましい。
【００３２】
ＩＣチップは、フリップチップ実装などにより、上記のアンテナ線に導通するように設けられるものであり、このＩＣタグが取り付けられる製品に関する情報が記憶されるものであり、上記のアンテナ線を介しての信号の送信により、所定の情報が記憶され、またアンテナ線を介してＩＣタグに記憶された情報が読み取られるものである。
尚、上記のＩＣチップは、一般に、ポリイミド、ビスマレイミド樹脂などの電気絶縁性の硬化樹脂等により、封止されて保護されている。
【００３３】
このようなＩＣチップには、既に述べた通り、包装容器に充填されている内容物に関する情報（例えば生産者、製造業者、生産年月日、出荷日時など）や容器に関する情報などが入力されており、開封を示す電圧変化などの情報も入力されている。このような情報の入力や出力は、高周波信号により行われ、現在では、一般にＵＨＦ帯（８６０〜９６０ＭＨｚ）と１３．５６ＭＨｚの２つの周波数帯が主に使用されるようになっている。
【００３４】
ＩＣチップへの信号の送受信のために使用されるアンテナ線は、使用される信号の周波数に応じた共振長さなどを有する。
また、開封検出用アンテナ回路は、これが切断したときの抵抗変化によりＩＣチップでの電圧変化などをもたらすものであればよい。
上記のようなアンテナ線や開封検出用アンテナ回路、及びこれらをＩＣチップに接続するリード線は、通常、アルミニウム、銅、銀、金などの低抵抗金属の薄膜（厚みが５乃至５０μｍ程度）からなる。
【００３５】
尚、樹脂フィルムの厚みは、その表面にＩＣチップを実装する作業やアンテナ線、開封検出用アンテナ回路及びリード線を形成するためのメッキ作業などを行い得る程度の強度を示すようなものであればよく、後述するキャップへの装着形態に応じて適宜の厚みとすることができる。例えば、樹脂フィルムの裏面（ＩＣチップ等が設けられていない側の面）或いは表面の金属製アンテナ線が存在しない部分でのヒートシールによりオーバーキャップに装着する場合には、比較的薄肉でよいが、嵌め込みなどによりキャップに装着する場合には、比較的厚肉とすることが必要である。このような観点から、樹脂フィルムの厚みは、一般に、５乃至１０００μｍ程度の範囲とし、この範囲内で、装着形態に応じた厚みとすることが好適である。
また、図１では、樹脂フィルムは円板形状を有しているが、その取り付け形態やアンテナ線の破断位置などに応じて適当な形状を有していればよく、円形である必要はない。
【産業上の利用可能性】
【００３６】
本発明の複合容器蓋は、開封しない限りキャップを容器口部から取外すことができず、開封時にＩＣタグが確実に破壊され、優れた開封明示機能及び品質保証機能を発現できることから、特に内容物の詰め替え等による偽造販売のおそれがある高級酒等の包装容器に用いられる容器蓋として好適に使用することができる。
またアンテナ線の配列に間隔がある場合であっても、確実にアンテナ線の切断ができるため、市販のＩＣタグを使用することができ、経済性の点でも優れ、高級品に限定されずに使用することを可能にする。
【符号の説明】
【００３７】
１  ＩＣタグ、２  樹脂フィルム、３  ＩＣチップ、４  アンテナ線、６  カッター、７  切断刃、８  切断刃、１０  インナーキャップ、１１  頂板、１２  筒状壁、１５  突起部、１６  係合部、１７  位置決め用リブ、１８  周方向突条、２０  オーバーキャップ、２１  頂壁パネル、２２  スカート、２４  ストッパーバンド、２６  突起、２７  スプリングタブ、２８  凸部、３０  係止突部。
【図１】
2014189306.tif 000003
【図２】
2014189306.tif 000004
【図３】
2014189306.tif 000005
【図４】
2014189306.tif 000006
【図５】
2014189306.tif 000007
【図６】
2014189306.tif 000008